(57)【要約】【課題】部品点数を削減することができる蓄電装置を提供する。【解決手段】蓄電装置１は、蓄電モジュール２Ａ，２Ｂを備えている。蓄電モジュール２Ａ，２Ｂは、複数のバイポーラ電極１０を含んで構成される蓄電セル７が正極集電板１５及び負極集電板１６を介してＸ方向に積層されてなるセルスタック３と、Ｘ方向に延在し、正極集電板１５と電気的に接続された正極バスバー５と、Ｘ方向に延在し、負極集電板１６と電気的に接続された負極バスバー６とを有している。蓄電モジュール２Ａ，２Ｂは、Ｘ方向に垂直なＹ方向に並んで配置されている。正極バスバー５は、蓄電モジュール２Ａ，２Ｂにおいて共通化された共通正極バスバー１８として構成されている。共通正極バスバー１８は、Ｘ方向に沿って蓄電モジュール２Ａ，２Ｂのセルスタック３に跨っている。【選択図】図１
2019175676.tif 000002
【特許請求の範囲】
【請求項１】
少なくとも２つの蓄電モジュールを備えた蓄電装置において、
前記蓄電モジュールは、複数の電極を含んで構成される蓄電セルが正極集電板及び負極集電板を介して第１方向に積層されてなるセルスタックと、前記第１方向に延在し、前記正極集電板と電気的に接続された正極バスバーと、前記第１方向に延在し、前記負極集電板と電気的に接続された負極バスバーとを有し、
前記２つの蓄電モジュールは、前記第１方向に垂直な第２方向に並んで配置されており、
前記正極バスバー及び前記負極バスバーの少なくとも一方は、前記２つの蓄電モジュールにおいて共通化された共通バスバーとして構成されており、
前記共通バスバーは、前記第１方向に沿って前記２つの蓄電モジュールの前記セルスタックに跨っている蓄電装置。
【請求項２】
前記共通バスバーの一端には、取出端子が接続されており、
前記共通バスバーの断面積は、前記第１方向に沿って前記取出端子に近づくにつれて大きくなっている請求項１記載の蓄電装置。
【請求項３】
前記正極バスバー及び前記負極バスバーは、前記セルスタックに対して前記第１方向及び前記第２方向に垂直な第３方向の同じ側において前記第２方向に並んで配置されている請求項１または２記載の蓄電装置。
【請求項４】
前記２つの蓄電モジュールは、前記正極バスバー同士または前記負極バスバー同士が互いに向かい合うように配置されており、
前記正極バスバー及び前記負極バスバーのうち少なくとも前記２つの蓄電モジュールにおいて互いに向かい合っているバスバーが前記共通バスバーとして構成されている請求項３記載の蓄電装置。
【発明の詳細な説明】
【技術分野】
【０００１】
本発明は、蓄電装置に関する。
【背景技術】
【０００２】
従来の蓄電装置としては、例えば特許文献１に記載されている組電池が知られている。特許文献１に記載の組電池は、複数の単電池と、各単電池の端子同士を電気的に接続するバスバーとを備えている。
【先行技術文献】
【特許文献】
【０００３】
【特許文献１】特開２０１８−１０８３６号公報
【発明の概要】
【発明が解決しようとする課題】
【０００４】
ところで、蓄電装置としては、２つの蓄電モジュールが並んで配置されることがある。例えば蓄電モジュールは、複数の蓄電セルが正極集電板及び負極集電板を介して積層されてなるセルスタックと、正極集電板と電気的に接続された正極バスバーと、負極集電板と電気的に接続された負極バスバーとを有している。そのような蓄電モジュールが２つ並んで配置されている場合には、各蓄電モジュールに正極バスバー及び負極バスバーがそれぞれ設けられることになる。しかし、近年では、蓄電装置における部品点数の削減が要求されている。
【０００５】
本発明の目的は、部品点数を削減することができる蓄電装置を提供することである。
【課題を解決するための手段】
【０００６】
本発明の一態様は、少なくとも２つの蓄電モジュールを備えた蓄電装置において、蓄電モジュールは、複数の電極を含んで構成される蓄電セルが正極集電板及び負極集電板を介して第１方向に積層されてなるセルスタックと、第１方向に延在し、正極集電板と電気的に接続された正極バスバーと、第１方向に延在し、負極集電板と電気的に接続された負極バスバーとを有し、２つの蓄電モジュールは、第１方向に垂直な第２方向に並んで配置されており、正極バスバー及び負極バスバーの少なくとも一方は、２つの蓄電モジュールにおいて共通化された共通バスバーとして構成されており、共通バスバーは、第１方向に沿って２つの蓄電モジュールのセルスタックに跨っている。
【０００７】
このような蓄電装置においては、正極バスバー及び負極バスバーの少なくとも一方は、第１方向（蓄電セルの積層方向）に垂直な第２方向に並んで配置された２つの蓄電モジュールにおいて共通化された共通バスバーとして構成されており、共通バスバーは、第１方向に沿って２つの蓄電モジュールのセルスタックに跨っている。このため、各蓄電モジュールに正極バスバー及び負極バスバーがそれぞれ設けられている場合に比べて、正極バスバー及び負極バスバーの少なくとも一方の数が少なくて済む。これにより、蓄電装置の部品点数を削減することができる。
【０００８】
共通バスバーの一端には、取出端子が接続されており、共通バスバーの断面積は、第１方向に沿って取出端子に近づくにつれて大きくなっていてもよい。このような構成では、共通バスバーの断面積が第１方向に沿って取出端子に近づくにつれて大きくなっているので、共通バスバーを流れる電流の密度を均一化することができる。このため、共通バスバーとしての無駄な領域が少なくなる。従って、共通バスバーの材料コストを削減することができると共に、共通バスバーを軽量化することができる。これにより、蓄電装置の低コスト化及び軽量化を図ることができる。
【０００９】
正極バスバー及び負極バスバーは、セルスタックに対して第１方向及び第２方向に垂直な第３方向の同じ側において第２方向に並んで配置されていてもよい。このような構成では、正極バスバーがセルスタックに対して第３方向の一方側に配置され、負極バスバーがセルスタックに対して第３方向の他方側に配置されている場合に比べて、蓄電モジュールの高さ方向の寸法が小さくなる。これにより、蓄電装置の小型化を図ることができる。
【００１０】
２つの蓄電モジュールは、正極バスバー同士または負極バスバー同士が互いに向かい合うように配置されており、正極バスバー及び負極バスバーのうち少なくとも２つの蓄電モジュールにおいて互いに向かい合っているバスバーが共通バスバーとして構成されていてもよい。このような構成では、２つの蓄電モジュールにおいて共通バスバーを構成するバスバー同士が互いに向かい合っているので、共通バスバーの寸法を小さくすることができる。
【発明の効果】
【００１１】
本発明によれば、蓄電装置の部品点数を削減することができる。
【図面の簡単な説明】
【００１２】
【図１】本発明の一実施形態に係る蓄電装置を示す概略斜視図である。
【図２】図１のII−II線断面図である。
【図３】図１のIII−III線断面図である。
【図４】図１のIV−IV線断面図である。
【図５】図１に示された蓄電セルを正極集電板及び負極集電板と共に示す斜視図である。
【図６】図５に示された蓄電セルの断面図である。
【図７】比較例としての蓄電装置を示す概略斜視図である。
【図８】図２に示された蓄電装置の変形例を示す断面図である。
【図９】図２に示された蓄電装置の他の変形例を示す断面図である。
【発明を実施するための形態】
【００１３】
以下、本発明の実施形態について、図面を参照して詳細に説明する。なお、図面において、同一または同等の要素には同じ符号を付し、重複する説明を省略する。
【００１４】
図１は、本発明の一実施形態に係る蓄電装置を示す概略斜視図である。図２は、図１のII−II線断面図である。図３は、図１のIII−III線断面図である。図４は、図１のIV−IV線断面図である。図１〜図４において、本実施形態の蓄電装置１は、例えばフォークリフト、ハイブリッド自動車または電気自動車等の各種車両のバッテリとして用いられる。
【００１５】
蓄電装置１は、２つの蓄電モジュール２Ａ，２Ｂを備えている。蓄電モジュール２Ａ，２Ｂは、セルスタック３と、１対のエンドプレート４と、正極バスバー５と、負極バスバー６とを有している。
【００１６】
セルスタック３は、複数の蓄電セル７をＸ方向に積層することにより構成されている。セルスタック３は、例えば１００体程度の蓄電セル７の集合体である。以下の説明では、蓄電セル７の積層方向をＸ方向（第１方向）とし、蓄電セル７の幅方向をＹ方向（第２方向）とし、蓄電セル７の高さ方向をＺ方向（第３方向）とする。Ｙ方向は、Ｘ方向に垂直な方向である。Ｚ方向は、Ｘ方向及びＹ方向に垂直な方向である。蓄電モジュール２Ａ，２Ｂは、Ｙ方向に並んで配置されている。
【００１７】
蓄電セル７は、扁平な略直方体形状をなす単電池である。蓄電セル７は、例えばニッケル水素二次電池またはリチウムイオン二次電池等の二次電池であってもよく、電気二重層キャパシタであってもよい。また、蓄電セル７は、全固体電池であってもよい。本実施形態では、蓄電セル７がバイポーラ型のリチウムイオン二次電池である場合を例示する。
【００１８】
蓄電セル７は、図５及び図６にも示されるように、電極積層体８と、保持部材９とを有している。電極積層体８は、複数のバイポーラ電極１０がセパレータ１１を介して積層されてなる構造を有している。バイポーラ電極１０は、集電体１２と、この集電体１２の一方面に形成された正極層１３と、集電体１２の他方面に形成された負極層１４とを有している。
【００１９】
集電体１２は、略矩形状を呈するシート状の導電部材である。集電体１２は、例えば金属箔または合金箔である。金属箔としては、例えば銅箔、アルミニウム箔、チタン箔またはニッケル箔が挙げられる。集電体１２が金属箔である場合、機械的強度を確保する観点からアルミニウム箔を用いることが好適である。合金箔としては、例えばステンレス鋼箔または上記金属の合金箔が挙げられる。集電体１２が合金箔またはアルミニウム箔以外の金属箔である場合、集電体１２の表面にアルミニウムが被覆されていてもよい。
【００２０】
正極層１３は、正極活物質と電解質とを含んでいる。正極活物質は、例えば複合酸化物、金属リチウムまたは硫黄等である。複合酸化物の組成には、例えばマンガン、チタン、ニッケル、コバルト及びアルミニウムの少なくとも１つとリチウムとが含まれる。電解質は、例えば固体電解質、固体高分子電解質またはゲル状電解質である。固体電解質は、ジルコニアまたはβアルミナを含む。固体高分子電解質は、例えばポリエチレンオキシド（ＰＥＯ）、ポリプロピレンオキシド（ＰＰＯ）等のアルキレンオキシド系高分子化合物、若しくはこれらの共重合体を含む。ゲル状電解質は、流動性を完全に若しくはほぼ完全に示さない電解質である。例えば２０℃におけるゲル状電解質の粘度は、０．１Ｐａ・Ｓ以上である。
【００２１】
正極層１３が固体高分子電解質を含む場合、正極層１３は、例えばイオン伝導性を高めるための支持塩、電子伝導性を高めるための導電助剤、粘度調整溶媒及び重合開始剤の少なくとも何れかを含む。支持塩は、アルキレンオキシド系高分子化合物に容易に溶解可能な観点から、例えばリチウム塩である。リチウム塩は、例えばＬｉＢＦ４、ＬｉＰＦ６、ＬｉＮ（ＳＯ２ＣＦ３）２、ＬｉＮ（ＳＯ２Ｃ２Ｆ５）２、若しくはこれらの混合物である。導電助剤は、例えばアセチレンブラック、カーボンブラックまたはグラファイト等である。粘度調整溶媒は、例えばＮ−メチル−２−ピロリドン（ＮＭＰ）等である。重合開始剤は、例えばアゾビスイソブチロニトリル（ＡＩＢＮ）等である。
【００２２】
負極層１４は、負極活物質と電解質とを含んでいる。負極活物質は、例えば黒鉛、高配向性グラファイト、メソカーボンマイクロビーズ、ハードカーボンまたはソフトカーボン等のカーボン、リチウム、ナトリウム等のアルカリ金属、金属化合物、ＳｉＯｘ（０．５≦ｘ≦１．５）等の金属酸化物またはホウ素添加炭素等である。負極層１４の電解質は、例えば正極層１３に含まれる電解質と同様である。
【００２３】
セパレータ１１は、隣り合うバイポーラ電極１０同士を隔てる層状部材であり、略矩形状を呈している。セパレータ１１は、正極層１３及び負極層１４に含まれる電解質によって構成されている。また、セパレータ１１は、電解質を充電可能な多孔質膜であってもよい。セパレータ１１が固体電解質によって構成される場合、セパレータ１１は、略矩形の板状を呈していてもよい。
【００２４】
電極積層体８の積層方向の両端には、集電体１２がそれぞれ設けられている。電極積層体８の一端（図６の紙面右側の端）に位置する集電体１２には、正極層１３のみが形成されている。電極積層体８の他端（図６の紙面左側の端）に位置する集電体１２には、負極層１４のみが形成されている。
【００２５】
保持部材９は、電極積層体８を保持する部材である。保持部材９は、電極積層体８の幅方向の両側面、頂面及び底面を囲む矩形枠状を呈している。保持部材９は、例えば絶縁性及び耐熱性を有する樹脂により形成されている。保持部材９を形成する樹脂としては、例えばポリイミド、ポリプロピレン（ＰＰ）、ポリフェニレンサルファイド（ＰＰＳ）、ナイロン６６（ＰＡ６６）等が挙げられる。保持部材９は、バイポーラ電極１０を封止し、バイポーラ電極１０同士の短絡を防止する機能を合わせ持っている。
【００２６】
蓄電セル７同士は、正極集電板１５及び負極集電板１６を介して積層されている。正極集電板１５及び負極集電板１６は、蓄電セル７の主面と略同形の長方形状を呈する金属板である。正極集電板１５及び負極集電板１６は、例えば集電体１２と同じ金属材料で形成されている。正極集電板１５及び負極集電板１６は、蓄電セル７を積層方向に挟むように配置されている。正極集電板１５は、正極層１３のみが形成された集電体１２の外側面に接触している。負極集電板１６は、負極層１４のみが形成された集電体１２の外側面に接触している。
【００２７】
正極集電板１５は、正極バスバー５と接合される正極タブ１５ａを有している。正極タブ１５ａは、蓄電セル７の幅方向の一方側において電極積層体８に対して蓄電セル７の高さ方向に突出している。正極タブ１５ａの先端側は、蓄電セル７の外側に屈曲している。各正極集電板１５の正極タブ１５ａの屈曲部分は、蓄電セル７の積層方向の一方側を向いて揃っている。そして、各正極集電板１５の正極タブ１５ａの屈曲部分に対して正極バスバー５が溶接等により接合されている（図３参照）。
【００２８】
負極集電板１６は、負極バスバー６と接合される負極タブ１６ａを有している。負極タブ１６ａは、蓄電セル７の幅方向の他方側において電極積層体８に対して蓄電セル７の高さ方向に突出している。負極タブ１６ａは、正極タブ１５ａと蓄電セル７の高さ方向の同じ側に突出している。負極タブ１６ａの先端側は、蓄電セル７の外側に屈曲している。負極タブ１６ａの屈曲方向は、正極タブ１５ａの屈曲方向と逆向きとなっている。各負極集電板１６の負極タブ１６ａの屈曲部分は、蓄電セル７の積層方向の他方側を向いて揃っている。そして、各負極集電板１６の負極タブ１６ａの屈曲部分に対して負極バスバー６が溶接等により接合されている（図４参照）。
【００２９】
エンドプレート４は、蓄電セル７の積層方向への位置ずれを規制する拘束部材である。エンドプレート４は、セルスタック３における蓄電セル７の積層方向の両側に配置されている。エンドプレート４は、側面視Ｌ字状を呈している。エンドプレート４は、例えば金属または合金により形成されている。各エンドプレート４同士は、ボルト及びナット等の締結部材により連結されていてもよい。この場合には、締結部材の締め付け力によって、エンドプレート４を介して蓄電セル７の積層方向に沿った拘束荷重がセルスタック３に付加される。
【００３０】
セルスタック３における蓄電セル７の積層方向の両端に位置する蓄電セル７とエンドプレート４との間には、絶縁緩衝部材１７がそれぞれ配置されている。絶縁緩衝部材１７は、蓄電セル７の膨張を吸収する機能を有する部材である。絶縁緩衝部材１７は、例えば蓄電セル７の積層方向から見て蓄電セル７の主面と同程度の面積を有する直方体形状を呈している。絶縁緩衝部材１７の形成材料としては、例えばＰＰ、ＰＰＳまたはＰＡ６６等が挙げられる。
【００３１】
正極バスバー５及び負極バスバー６は、図１及び図２に示されるように、セルスタック３に対して蓄電セル７の高さ方向の同じ側において蓄電セル７の幅方向に並んで配置されている。具体的には、正極バスバー５及び負極バスバー６は、セルスタック３の頂面において互いに間隔をもって配置されている。正極バスバー５は、各正極集電板１５と電気的に接続されている。負極バスバー６は、各負極集電板１６と電気的に接続されている。正極バスバー５及び負極バスバー６は、蓄電セル７の積層方向に延在している。
【００３２】
正極バスバー５及び負極バスバー６の形成材料は、例えば銅、アルミニウム、チタンまたはニッケル等の金属であってもよく、ステンレス鋼、或いは前述の金属の合金等であってもよい。
【００３３】
蓄電モジュール２Ａ，２Ｂは、正極バスバー５同士が互いに向かい合うように配置されている。正極バスバー５は、蓄電モジュール２Ａ，２Ｂにおいて共通化された共通正極バスバー１８（共通バスバー）として構成されている。共通正極バスバー１８は、共通正極バスバー１８の長手方向の一端から他端まで蓄電セル７の積層方向に沿って連続的に蓄電モジュール２Ａ，２Ｂの各セルスタック３に跨っている。
【００３４】
共通正極バスバー１８は、平面視で等脚台形の板状を呈している。共通正極バスバー１８は、蓄電セル７の積層方向に対して傾斜した２つの傾斜縁１８ａを有している。共通正極バスバー１８の長手方向の一端には、正極取出端子１９が接続されている。
【００３５】
共通正極バスバー１８の幅は、蓄電セル７の積層方向に沿って正極取出端子１９に近づくにつれて連続的に大きくなっている。共通正極バスバー１８の厚さは、蓄電セル７の積層方向に沿って等しい。これにより、共通正極バスバー１８の断面積は、蓄電セル７の積層方向に沿って正極取出端子１９に近づくにつれて連続的に大きくなっている。なお、ここでいう断面積は、蓄電セル７の積層方向に垂直な方向で切った断面積である。
【００３６】
なお、共通正極バスバー１８の幅が蓄電セル７の積層方向に沿って正極取出端子１９に近づくにつれて大きくなるのであれば、共通正極バスバー１８の形状としては、特に等脚台形には限られず、例えば二等辺三角形、直角三角形または２つの頂点が直角で且つ対向する２辺が平行な台形等であってもよい。
【００３７】
負極バスバー６は、平面視で直角三角形または略直角三角形の板状を呈している。負極バスバー６は、蓄電セル７の積層方向に対して傾斜した傾斜縁６ａを有している。蓄電モジュール２Ａ，２Ｂにおける各負極バスバー６の長手方向の他端部（正極取出端子１９とは反対側の端部）同士は、接続部６ｂを介して繋がっている。接続部６ｂと共通正極バスバー１８との間には、隙間が設けられている。
【００３８】
接続部６ｂには、負極取出端子２０が接続されている。負極取出端子２０は、正極取出端子１９の反対側に配置されている。正極取出端子１９及び負極取出端子２０は、蓄電モジュール２Ａ，２Ｂの各セルスタック３を外部装置に接続する端子である。
【００３９】
負極バスバー６の幅は、蓄電セル７の積層方向に沿って負極取出端子２０に近づくにつれて連続的に大きくなっている。負極バスバー６の厚さは、蓄電セル７の積層方向に沿って等しい。これにより、負極バスバー６の断面積は、蓄電セル７の積層方向に沿って負極取出端子２０に近づくにつれて連続的に大きくなっている。なお、ここでいう断面積も、蓄電セル７の積層方向に垂直な方向で切った断面積である。負極バスバー６の断面積が蓄電セル７の積層方向に沿って大きくなる向きは、共通正極バスバー１８の断面積が蓄電セル７の積層方向に沿って大きくなる向きと逆である。
【００４０】
なお、負極バスバー６の幅が蓄電セル７の積層方向に沿って負極取出端子２０に近づくにつれて大きくなるのであれば、負極バスバー６の形状としては、特に直角三角形または略直角三角形には限られず、例えば二等辺三角形、等脚台形または２つの頂点が直角で且つ対向する２辺が平行な台形等であってもよい。
【００４１】
共通正極バスバー１８及び負極バスバー６の傾斜縁１８ａ，６ａ同士は、互いに平行となるように向かい合っている。このため、共通正極バスバー１８と負極バスバー６との間の距離は、蓄電セル７の積層方向に沿って全体的に等しくなっている。
【００４２】
各正極集電板１５の正極タブ１５ａの幅は、図５に示されるように、共通正極バスバー１８の幅に応じて、蓄電セル７の積層方向に沿って異なっている。具体的には、各正極集電板１５の正極タブ１５ａの幅は、正極取出端子１９に近づくにつれて徐々に大きくなっている。また、各負極集電板１６の負極タブ１６ａの幅は、図５に示されるように、負極バスバー６の幅に応じて、蓄電セル７の積層方向に沿って異なっている。具体的には、各負極集電板１６の負極タブ１６ａの幅は、負極取出端子２０に近づくにつれて徐々に大きくなっている。
【００４３】
図７は、比較例としての蓄電装置を示す概略斜視図である。図７において、本比較例の蓄電装置５０は、Ｙ方向に並んで配置された２つの蓄電モジュール５１を備えている。蓄電モジュール５１は、正極バスバー５２及び負極バスバー５３を１つずつ有している。正極バスバー５２及び負極バスバー５３は、矩形の板状を呈し、蓄電セル７の積層方向に一定の幅をもって延在している。また、正極バスバー５２及び負極バスバー５３は、各蓄電モジュール５１において蓄電セル７の幅方向の同じ側に配置されている。つまり、一方の蓄電モジュール５１の正極バスバー５２と他方の蓄電モジュール５１の負極バスバー５３とは、互いに向かい合っている。このような蓄電装置５０では、正極バスバー５２及び負極バスバー５３が２つずつ必要になる。
【００４４】
一方、本実施形態では、正極バスバー５は、蓄電セル７の幅方向に並んで配置された蓄電モジュール２Ａ，２Ｂにおいて共通化された共通正極バスバー１８として構成されており、共通正極バスバー１８は、蓄電セル７の積層方向に沿って蓄電モジュール２Ａ，２Ｂのセルスタック３に跨っている。このため、各蓄電モジュール５１に正極バスバー５２及び負極バスバー５３がそれぞれ設けられている場合に比べて、正極バスバー５の数が少なくて済む。これにより、蓄電装置１の部品点数を削減することができる。
【００４５】
また、本実施形態では、共通正極バスバー１８の断面積が蓄電セル７の積層方向に沿って正極取出端子１９に近づくにつれて大きくなっているので、共通正極バスバー１８を流れる電流の密度を均一化することができる。また、負極バスバー６の断面積が蓄電セル７の積層方向に沿って負極取出端子２０に近づくにつれて大きくなっているので、負極バスバー６を流れる電流の密度を均一化することができる。このため、共通正極バスバー１８及び負極バスバー６としての無駄な領域が少なくなる。従って、共通正極バスバー１８及び負極バスバー６の材料コストを削減することができると共に、共通正極バスバー１８及び負極バスバー６を軽量化することができる。これにより、蓄電装置１の低コスト化及び軽量化を図ることができる。
【００４６】
また、本実施形態では、共通正極バスバー１８（正極バスバー５）及び負極バスバー６は、セルスタック３に対して蓄電セル７の高さ方向の同じ側において蓄電セル７の幅方向に並んで配置されている。このため、正極バスバー５がセルスタック３に対して蓄電セル７の高さ方向の一方側に配置され、負極バスバー６がセルスタック３に対して蓄電セル７の高さ方向の他方側に配置されている場合に比べて、蓄電モジュール２Ａ，２Ｂの高さ方向の寸法が小さくなる。これにより、蓄電装置１の小型化を図ることができる。
【００４７】
また、本実施形態では、蓄電モジュール２Ａ，２Ｂにおいて共通正極バスバー１８を構成する正極バスバー５同士が互いに向かい合っているので、共通正極バスバー１８の寸法を小さくすることができる。
【００４８】
また、本実施形態では、共通正極バスバー１８及び負極バスバー６は、各断面積が蓄電セル７の積層方向の反対側に向かって大きくなるように配置されている。このため、セルスタック３に対して蓄電セル７の高さ方向の同じ側において、共通正極バスバー１８及び負極バスバー６を面積効率良く配置することができる。従って、例えばセルスタック３における共通正極バスバー１８及び負極バスバー６の配置面積が限られていても、共通正極バスバー１８及び負極バスバー６を配置することができる。これにより、蓄電装置１の幅方向の寸法を小さくし、蓄電装置１の更なる小型化を図ることができる。また、共通正極バスバー１８と負極バスバー６との間の距離を十分に確保することで、共通正極バスバー１８と負極バスバー６との絶縁性を高めることができる。
【００４９】
図８は、図２に示された蓄電装置の変形例を示す断面図である。図８において、本変形例の蓄電装置１では、負極バスバー６は、蓄電モジュール２Ａ，２Ｂにおいて共通化された共通負極バスバー３０（共通バスバー）として構成されている。共通負極バスバー３０は、共通負極バスバー３０の長手方向の一端から他端まで蓄電セル７の積層方向に沿って蓄電モジュール２Ａ，２Ｂの各セルスタック３に跨っている。従って、蓄電装置１は、共通正極バスバー１８と共通負極バスバー３０とを備えている。
【００５０】
負極集電板１６の負極タブ１６ａの上端位置は、正極集電板１５の正極タブ１５ａの上端位置よりも高くなっている。共通正極バスバー１８と共通負極バスバー３０との間には、隙間が設けられている。
【００５１】
このような本変形例においては、蓄電モジュール２Ａ，２Ｂに設けられる正極バスバー５及び負極バスバー６の総数としては、何れも１つだけで済むため、蓄電装置１の部品点数を更に削減することができる。
【００５２】
図９は、図２に示された蓄電装置の他の変形例を示す断面図である。図９において、本変形例の蓄電装置１では、正極集電板１５の正極タブ１５ａは、セルスタック３における蓄電セル７の高さ方向の一方側の面から突出しており、負極集電板１６の負極タブ１６ａは、セルスタック３における蓄電セル７の高さ方向の他方側の面から突出している。このため、正極バスバー５は、セルスタック３に対して蓄電セル７の高さ方向の一方側に配置されており、負極バスバー６は、セルスタック３に対して蓄電セル７の高さ方向の他方側に配置されている。
【００５３】
正極バスバー５は、蓄電モジュール２Ａ，２Ｂにおいて共通化された共通正極バスバー３５（共通バスバー）として構成されている。共通正極バスバー３５は、共通正極バスバー３５の長手方向の一端から他端まで蓄電セル７の積層方向に沿って蓄電モジュール２Ａ，２Ｂの各セルスタック３に跨っている。負極バスバー６は、蓄電モジュール２Ａ，２Ｂにおいて共通化された共通負極バスバー３６（共通バスバー）として構成されている。共通負極バスバー３６は、共通負極バスバー３６の長手方向の一端から他端まで蓄電セル７の積層方向に沿って蓄電モジュール２Ａ，２Ｂの各セルスタック３に跨っている。従って、蓄電装置１は、共通正極バスバー３５と共通負極バスバー３６とを備えている。
【００５４】
このような本変形例においても、蓄電モジュール２Ａ，２Ｂに設けられる正極バスバー５及び負極バスバー６の総数としては、何れも１つだけで済むため、蓄電装置１の部品点数を更に削減することができる。
【００５５】
なお、本発明は、上記実施形態には限定されない。例えば上記実施形態では、１枚の共通正極バスバー１８が、蓄電セル７の積層方向に沿って連続的に蓄電モジュール２Ａ，２Ｂの各セルスタック３に跨っているが、特にその形態には限られず、共通正極バスバー１８は、蓄電セル７の積層方向に沿って間欠的に蓄電モジュール２Ａ，２Ｂの各セルスタック３に跨っていてもよい。
【００５６】
また、上記実施形態では、各正極集電板１５の正極タブ１５ａの幅は、共通正極バスバー１８の幅に応じて蓄電セル７の積層方向に沿って異なっており、各負極集電板１６の負極タブ１６ａの幅は、負極バスバー６の幅に応じて蓄電セル７の積層方向に沿って異なっているが、特にその形態には限られず、共通正極バスバー１８と負極バスバー６との間の距離によっては、正極タブ１５ａ及び負極タブ１６ａの幅は、蓄電セル７の積層方向に沿って一定であってもよい。
【００５７】
また、上記実施形態では、共通正極バスバー１８の幅が蓄電セル７の積層方向に沿って正極取出端子１９に近づくにつれて大きくなり、負極バスバー６の幅が蓄電セル７の積層方向に沿って負極取出端子２０に近づくにつれて大きくなっているが、特にその形態には限られず、共通正極バスバー１８の厚さが蓄電セル７の積層方向に沿って正極取出端子１９に近づくにつれて大きくなり、負極バスバー６の厚さが蓄電セル７の積層方向に沿って負極取出端子２０に近づくにつれて大きくなっていてもよい。この場合でも、共通正極バスバー１８の断面積が蓄電セル７の積層方向に沿って正極取出端子１９に近づくにつれて大きくなり、負極バスバー６の断面積が蓄電セル７の積層方向に沿って負極取出端子２０に近づくにつれて大きくなる。
【００５８】
また、上記実施形態では、共通正極バスバー１８の断面積が蓄電セル７の積層方向に沿って正極取出端子１９に近づくにつれて大きくなり、負極バスバー６の断面積が蓄電セル７の積層方向に沿って負極取出端子２０に近づくにつれて大きくなっているが、特にその形態には限られず、共通正極バスバー１８の断面積が蓄電セル７の積層方向に沿って一定であり、負極バスバー６の断面積が蓄電セル７の積層方向に沿って一定であってもよい。この場合、共通正極バスバー１８及び負極バスバー６の形状としては、例えば矩形状等であってもよい。
【００５９】
また、上記実施形態では、蓄電モジュール２Ａ，２Ｂに正極バスバー５及び負極バスバー６が１つずつ設けられているが、特にその形態には限られず、蓄電モジュール２Ａ，２Ｂに正極バスバー５及び負極バスバー６が複数ずつ設けられていてもよい。
【００６０】
また、上記実施形態では、蓄電モジュール２Ａ，２Ｂは、正極バスバー５同士が互いに向かい合うように配置されているが、特にその形態には限られず、蓄電モジュール２Ａ，２Ｂは、負極バスバー６同士が互いに向かい合うように配置されていてもよい。この場合には、負極バスバー６のみが蓄電モジュール２Ａ，２Ｂにおいて共通化された共通バスバーとして構成されていてもよいし、或いは負極バスバー６及び正極バスバー５が蓄電モジュール２Ａ，２Ｂにおいて共通化された共通バスバーとして構成されていてもよい。
【００６１】
また、上記実施形態では、２つの蓄電モジュール２Ａ，２Ｂが蓄電セル７の幅方向に並んで配置されているが、特にその形態には限られず、３つ以上の蓄電モジュールが蓄電セル７の幅方向に並んで配置されていてもよい。この場合には、正極バスバー５及び負極バスバー６の少なくとも一方が、互いに隣り合う２つの蓄電モジュールにおいて共通化された共通バスバーとして構成される。
【符号の説明】
【００６２】
１…蓄電装置、２Ａ，２Ｂ…蓄電モジュール、３…セルスタック、５…正極バスバー、６…負極バスバー、７…蓄電セル、１０…バイポーラ電極（電極）、１５…正極集電板、１６…負極集電板、１８…共通正極バスバー（共通バスバー）、１９…正極取出端子（取出端子）、２０…負極取出端子（取出端子）、３０…共通負極バスバー（共通バスバー）、３５…共通正極バスバー（共通バスバー）、３６…共通負極バスバー（共通バスバー）。
【図１】
2019175676.tif 000003
【図２】
2019175676.tif 000004
【図３】
2019175676.tif 000005
【図４】
2019175676.tif 000006
【図５】
2019175676.tif 000007
【図６】
2019175676.tif 000008
【図７】
2019175676.tif 000009
【図８】
2019175676.tif 000010
【図９】
2019175676.tif 000011